(57)【要約】  縮香料組成物は、香料を布地ケア組成物に組み込むのに有用である。
2009538956.tif 000002
【特許請求の範囲】
【請求項１】
組成物の少なくとも約７０重量％の香料及び組成物の約１重量％〜約３０重量％の両親媒性物質を含む濃縮香料組成物であって、
前記両親媒性物質が、（ｉ）非イオン性、アルキル又はアルキルアリールアルコキシル化界面活性剤、（ｉｉ）嵩高先端基を有する非イオン性物質、（ｉｉｉ）アルコキシル化カチオン性四級アンモニウム界面活性剤、又は（ｉｖ）これらの組合せから選択される濃縮香料組成物。
【請求項２】
前記組成物が前記組成物の約１０重量％未満の水を含む、請求項１に記載の組成物。
【請求項３】
前記組成物が前記組成物の約５％重量未満の非水性溶媒を含む、請求項１又は２に記載の組成物。
【請求項４】
前記香料が約１２未満の総合の誘電率を有する、請求項１〜３のいずれか一項に記載の組成物。
【請求項５】
前記香料が少なくとも５種の異なる香料成分を含む、請求項１〜４のいずれか一項に記載の組成物。
【請求項６】
前記組成物が、
（ａ）前記組成物の少なくとも約９０重量％の香料と、
（ｂ）前記組成物の約７重量％未満の両親媒性物質と、
（ｃ）前記組成物の約５重量％未満の水と、
（ｄ）前記組成物の約５重量％未満の非水性溶媒と、
（ｅ）約９未満の総合の誘電率を有する香料と、
を含む、請求項１〜５のいずれか一項に記載の組成物。
【請求項７】
前記両親媒性物質がポリオキシエチレンソルビタンモノラウレートを含む、請求項１〜６のいずれか一項に記載の組成物。
【請求項８】
前記両親媒性物質がポリオキシエチレンソルビタンモノラウレートを含む、請求項１〜７のいずれか一項に記載の組成物。
【請求項９】
四級アンモニウム化合物を含む布地ケア組成物に濃縮香料組成物を添加する工程を含む、請求項１〜８のいずれか一項に記載の布地ケア組成物の製造方法であって、
前記濃縮香料組成物が、
（ａ）前記組成物の少なくとも約７０重量％の香料と、
（ｂ）前記組成物の約１重量％〜約３０重量％の両親媒性物質と、
を含み、
前記両親媒性物質が（ｉ）非イオン性の、アルキル又はアルキルアリールアルコキシル化界面活性剤、（ｉｉ）嵩高先端基を有する非イオン性物質、（ｉｉｉ）アルコキシル化カチオン性四級アンモニウム界面活性剤から選択される、布地ケア組成物の製造方法。
【請求項１０】
前記両親媒性物質がポリオキシエチレンソルビタンモノラウレートを含む、請求項９に記載の方法。
【発明の詳細な説明】
【技術分野】
【０００１】
本発明は、濃縮香料組成物、及び、濃縮香料組成物を有する布地ケア組成物を製造する方法に関する。
【背景技術】
【０００２】
分散ラメラ相からなる布地ケア組成物は、典型的には香油と混和しない。しかしながら、布地組成物の香り付けは、高い消費者受容を確保するために不可欠である。洗浄プロセスを通じて、また最終的には乾燥した布地に対して芳香の送達も行う、快いニート製品芳香を有する布地ケア組成物は、消費者にとって香り付けされていない布地ケア製品よりもはるかに望ましい。分散ラメラ相からなる布地ケア組成物を香り付けする典型的な従来の方法は、香料と布地ケア組成物を組合せて、香油が細分されてラメラ種により吸着されるまで高度の機械的エネルギーを適用するというものである。高度の機械的エネルギーの使用を必要とすることで、いくつかの問題が生じる。ラメラ相からなる組成物は、典型的にはコロイド状に分散し、熱力学的には安定ではない。分散ラメラ相からなる布地ケア組成物は、消費者に均一で容認可能な性能を消費者の最小限の介入（例えば、相を再び混ぜ合わせるための振盪）で提供するために、均質であることが望ましい。ラメラ相のこのようなコロイド状分散が高度な機械的エネルギーに曝露されるとき、これらの組成物は不安定になって分離する可能性があるか、又は高粘性組成物を形成する可能性がある。分離するか又は高粘性相を形成する組成物は容認できないのは、これらの組成物が多くの場合、乏しい流動性、不安定な性能、及び／又は望ましくない外観を有するからである。
【０００３】
さらに、高度な機械的エネルギーを適用するのに必要な装置は資本集約的であり、したがってこのような装置は香料を組み込むのに必要なレベルのエネルギーを提供するのに、特に経済発展途上地域においては、常に入手可能ではない。
【０００４】
或いは、高度な機械的エネルギーの代わりに、プロセスエンジニアは、製品製造の前工程に香料を添加する方法を採用してもよく、又は混合槽中での製品の滞留時間を増やして徹底的に香料を組み込んでもよい。組み込むのが困難な多くの香料であっても、どちらのアプローチも香料組み込みの可能性を増大させるだろうが、これらのアプローチは他の問題を引き起こす。加工における製品製造の初期に香料を組み込むと、フレキシビリティが減少し、様々な製品種を貯蔵しておくために増資の必要が生じる。香料が加工の前工程に組み込まれる場合も、香料はしばしば他の構成成分がまだ熱いときに導入され、それゆえに一部の香料揮発物が失われ、結果として準最適製品しか生ずることができず、香料物質が浪費されるおそれがある。混合槽中での滞留時間の増加は望ましい解決法ではないが、それはこのことにより製品製造量が減少して出荷に不足が生じ、製造コストが増加するからである。混合槽中における滞留時間の増加は、製品を製造するサイクル時間を増やし、製品製造に関連するコストを事実上増やす。
【発明の開示】
【発明が解決しようとする課題】
【０００５】
現代の市場において、消費者はカスタム化の増加を望んでいる。このことは、加工設備が従来よりも大きなフレキシビリティを有することを要求する。したがって、最大限の効率性とカスタム化能力とを同時に達成するために、包装の直前に基礎（すなわちベース）布地ケア処方を差異化できる能力を有することが重要である。本発明は、製品製造の最終工程で香料を組み込み、単純な低エネルギー攪拌（例えば、静的攪拌機）のみを必要とする方法を紹介する。
【０００６】
香料付けされた布地ケア製品を製造するときに直面する追加的な問題は、一部の香料は分散ラメラ相からなる布地ケア組成物に組み込むのがはるかに困難であるということである。このような香料は典型的には極性の低い香料（さらに以下で述べる）で、高度の機械的エネルギーが適用された後であっても、あまり組み込まれないか組み込まれることができない。或いは、香料の物理的特性による組み込みの乏しさに基づき特定の香料は使用から除外できるが、このアプローチは調香師及び配合者が最高の製品を製造するための能力を制限し、それにより、布地ケア製品におけるカスタマイズに対する消費者の需要を満たす入手可能なサービスの範囲を制限する。
【０００７】
別の課題が低濃度の分散ラメラ相からなる組成物により提示される。このような組成物は香り付けがとりわけ困難であるが、それは香料が分散ラメラ相に吸着されなければならないからである。理論に束縛されるものではないが、分散ラメラ相のパーセンテージが低下すると、香油を吸着するための表面積がより小さくなる。この課題をさらに複雑にしているのは、当業者は布地への香料の付着の減少を埋め合わせるためにこのような組成物に香油を増量する可能性があることである。それゆえ、吸着されなければならない油の量は増加する一方で、分散コロイド粒子の形状における表面積量は減少して、結果として高度な機械的エネルギーを加えても香料の組み込みが乏しいか、又はほぼ不可能であるという状況が発生する。
【０００８】
機械的エネルギーをほとんど、又は全く適用せずに、非常に低いパーセンテージから非常に高いパーセンテージまでの分散ラメラ相を有する組成物に容易に組み込まれる、広範囲の香油に対する必要性がある。機械的エネルギーをほとんど、又は全く要さずに、布地ケア製品に様々な濃度の香料を組み込む必要性がある。
【０００９】
濃縮香料組成物が低燃焼性及び／又は低濃度の水を有する必要性がある。当業者ならば、製品製造環境において低コストを維持するために、低燃焼性、すなわち高引火点（例えば、３８℃超）、を有する組成物を利用することが有利であることを評価するであろう。濃縮香料組成物の水含有量を最小化すること（例えば、組成物の１０重量％未満の水）も有利である。濃縮香料組成物中に水が存在するとき、均質な濃縮香料組成物を維持するのにしばしば攪拌が必要である。
【００１０】
同様に、後期製品差異化工程の部分として、香り付けされていない布地ケア組成物ベースに添加できる濃縮香料組成物を提供する必要性もある。
【課題を解決するための手段】
【００１１】
本発明は、香料と、濃縮香料に対して使用して濃縮香料組成物を形成する両親媒性物質との混合物を、本発明の１つの態様において採用することで、これらの必要性の１つ以上を達成する試みを遂行する。所定の香料組成物の使用は低濃度の両親媒性物質をも許容して濃縮香料組成物を生じる可能性がある。
【００１２】
本発明の別の態様は、組成物の少なくとも約７０重量％の香料、組成物の約１重量％〜約３０重量％の両親媒性物質を含む濃縮香料組成物を提供し、両親媒性物質が、（ｉ）非イオン性の、アルキル若しくはアルキルアリールアルコキシル化界面活性剤、（ｉｉ）嵩高先端基を有する非イオン性物質、（ｉｉｉ）アルコキシル化カチオン性四級アンモニウム界面活性剤、又は（ｉｖ）これらの組合せから選択される。
【００１３】
本発明のさらに別の態様は、四級アンモニウム化合物を含む組成物に濃縮香料組成物を添加する工程を含む布地ケア組成物の製造方法を提供し、濃縮香料組成物は、（ａ）組成物の少なくとも約７０重量％の香料、及び（ｂ）組成物の約１重量％〜約３０重量％の両親媒性物質を含み、両親媒性物質が（ｉ）非イオン性のアルキル、若しくはアルキルアリールアルコキシル化界面活性剤、（ｉｉ）嵩高先端基を有する非イオン性物質、（ｉｉｉ）アルコキシル化カチオン性四級アンモニウム界面活性剤、又は（ｉｖ）これらの組合せから選択される。
【００１４】
１つの実施形態では、両親媒性物質はポリオキシエチレンソルビタンモノラウレート（いわゆる、「トゥウィーン（TWEEN）２０」）を含む。
【発明を実施するための最良の形態】
【００１５】
本発明の濃縮香料組成物は、香料を含む。立ち代わって、香料は典型的には、極性油と非極性油の混合物である。油を含む組成物は、これらの油のうちの一部が極性であっても布地ケア組成物などの水連続性組成物中に容易には分散しない。理論に束縛されるものではないが、分散ラメラ相による香料の吸着を可能にするためには、香料は連続水相中で超微粒子状に細分されなければならない。香油が超微粒子状に分割されていないとき、香油は分散ラメラ相に吸着するのに先立って合着し、それゆえに香料は最終製品に不完全に組み込まれるか、又は全く組み込まれない。
【００１６】
理論に束縛されるものではないが、香料が細分及び機械的エネルギーの適用による製品への組み込みに抵抗する程度は、誘電率によって測定される香料の嵩極性に大体相関する。より低い誘電率を有する香料、すなわち極性のより低い香料ほど、分散ラメラ相（１つ又は複数）からなる布地ケア組成物への組み込みが困難である傾向がより強い（表１参照）が、それはこのような香料は水性環境の中で凝集性がより大きく、この環境中において細分されるのにより大きな機械的エネルギーを必要とするためである。極性の低い香料の中には、最高度の機械的エネルギーを適用しても、本発明の布地ケア組成物に十分に組み込まれることができないものもある。或いは、上述したように、高度な機械的エネルギーを伴っても所望の製品を得るには混合槽中での長い滞留時間が必要とされる。極性は誘電率と直接相関し、以下の表は香料の誘電率の測定値（より高い誘電率＝より高い極性）及び香料の組み込みについての相対的な困難性を示す。広くは、低極性は組み込みの乏しさに相関する。
【００１７】
表１は、香料の極性（誘電率により測定）と製品への組み込みの容易さとの間の関係を示す。
【表１】
2009538956.tif 000003
悪い＝高度な機械的エネルギー及び長い混合でも、組み込みが失敗する。
境界線＝高度な機械的エネルギー及び長い混合で、組み込むことができる。
良い＝標準的な機械的エネルギーで十分に組み込むことができる。
【００１８】
本発明は、水性連続相中での香料の細分についての問題を、両親媒性物質を香料に添加して本発明の濃縮香料組成物を製造することにより解決する。連続水性組成物に濃縮香料組成物を添加すると、両親媒性物質が界面、又はバルク水相に運ばれるにつれて、香料は自発的に細分される。理論に束縛されるものではないが、両親媒性物質が界面又はバルク水性相に運ばれると、両親媒性物質は化学ポテンシャルエネルギー（chemical potential energy）を放出し、そのポテンシャルエネルギーは、部分的又は全体的に、香油を細分するために典型的に必要とされる機械的エネルギーに置換し、香料液滴が遂に分散ラメラ相上に吸着できるようにする。
【００１９】
濃縮香料組成物は自発的に細分されるか、又は機械的エネルギーの非常に少量の適用で細分されるため、本発明は、より複雑／高度な技術／エネルギー集約型装置の複合的集積を要求するものよりもむしろ、従来の攪拌装置若しくは静的混合などの小規模の加工装置を用いた場合に本発明の布地ケア組成物に必要な機械的エネルギー及び／又は過剰な混合時間を削減することを含む、識別された問題を解決しようと努める。低極性を有するものなど、組み込むのが困難な香料は、今や組み込むことができる。このような香料はより高濃度で組み込まれることができ、及び／又は、低布地柔軟仕上げ活性製剤により容易に組み込まれることができる。香料は、高度の機械的エネルギーの適用に対して影響を受けやすい製品にも組み込まれることができる。布地ケア組成物は、種々の異なる香料について、最小限の機械的エネルギーで、ほとんど攪拌せずに、組成物の包装の直前に素早く製造でき、これにより、従来の製造現場でもフレキシビリティを増大でき、加工サイクルを節約できる。配合者及び調香師は今や、フレキシビリティを増大して、布地ケア組成物に組み込むのに、より広い範囲の香料から選択する可能性を有している。
【００２０】
本発明に利用される濃縮香料組成物は、香り付けされた布地ケア組成物に最小限の過剰な両親媒性物質を製造するための経済的な濃縮香料組成物を製造する方法を提供する。過剰な両親媒性物質は、不必要なコストを生じ、さらには布地ケア組成物のニート製品芳香を乏しくする原因となる可能性がある。乏しいニート製品芳香は、消費者の受容に負の影響を及ぼすことが知られている。濃縮香料組成物は添加された両親媒性物質のコストを最小化し、ニート製品芳香を乏しくするリスクもまた最小化される。
【００２１】
濃縮香料組成物を布地ケア組成物に添加することは、低いパーセントの分散ラメラ相（１つ又は複数）を有する布地ケア組成物に関する追加的な問題を解決する可能性がある。低いパーセントのラメラ相（１つ又は複数）を有する布地ケア組成物はまた典型的に低い粘性を有し、時間とともにこれらの組成物は水相とラメラ相に分離する。濃縮香料組成物が布地ケア組成物に添加されると、その効果により組成物の粘性が増加されるので、本発明はこの問題を解決する助けとなる。
【００２２】
本発明の１つの態様は、香料が濃縮香料組成物の少なくとも約７０重量％の濃度で存在する濃縮香料組成物を提供する。別の実施形態では、両親媒性物質は濃縮香料組成物の約３０重量％未満の濃度である。濃縮香料組成物は、所望により、水性構成成分、染料、抗菌剤、約５重量％未満の有機溶媒、塩、又はこれらの組合せを含む。１つの実施形態では、濃縮香料組成物は、前記組成物の約５重量％未満、又は約４重量％未満、又は約３重量％未満、又は約２重量％未満、又は約１重量％未満の非水性溶媒を含むか、或いは実質的に含まない。
【００２３】
本発明の別の態様は、布地柔軟化活性物質を含む組成物に本発明の濃縮香料組成物を添加する工程を含む布地ケア組成物を製造する工程を提供し、好ましくは、この布地柔軟化活性物質を含む組成物は香料を実質的に含まない。
【００２４】
濃縮香料組成物は好ましくは、前記濃縮香料組成物の少なくとも約７０重量％、又は７５重量％、又は８０重量％、又は８５重量％、又は９０重量％、又は９１重量％、又は９２重量％、又は９３重量％、又は９４重量％、又は９５重量％、或いは、９９．９重量％未満の濃度の香料を含む。本発明に好適な香料の非限定的なセットは、米国特許第５，５００，１３８号、７欄４２行〜１１欄４４行に開示されている。
【００２５】
本発明の両親媒性物質は、好ましくは濃縮香料組成物の約３０重量％未満、又は２５重量％未満、又は２０重量％未満、又は１５重量％未満、又は１２重量％未満、又は１０重量％未満、又は８重量％未満、又は７重量％未満、又は６重量％未満、又は５重量％未満、或いは０．５重量％超の濃度である。
【００２６】
しかし、本発明の別の態様では、濃縮香料組成物は低濃度の水を含む。１つの実施形態では、濃縮香料組成物中の水の濃度は、前記組成物の約１０重量％未満、又は９重量％未満、又は８重量％未満、又は７重量％未満、又は６重量％未満、又は５重量％未満、又は４重量％未満、又は３重量％未満、又は２重量％未満、又は１重量％未満、或いは０．５重量％超を占める。本発明の濃縮香料組成物中に水が存在する場合、濃縮香料組成物を均一に保つためにはしばしば攪拌が必要である。
【００２７】
様々な視覚的な外観を有する濃縮香料組成物が本発明に許容可能である。好ましくは組成物は、ＳＷ４０Ｔｉローターを装備したベックマン・オプティマ（Beckman Optima）Ｌ７０Ｋ超遠心分離機を使用して、４０，０００ｒｐｍで１６時間遠心分離にかけられる。組成物が少なくとも２相（すなわち、上相及び下相）に分離する場合、分離比はそれぞれ２０／８０であり（つまり、遠心管内の組成物の長さが測定されるとき、上相の長さが遠心管内で組成物が占める全長の２０％以下になる）、より好ましくは１０／９０以下、さらに好ましくは５／９５以下である。上記条件の下で遠心分離にかけられる場合、最も好ましくは、組成物は分離しない。１つの実施形態では、組成物は、半透明又は透明又はほぼ半透明又はほぼ透明である。
【００２８】
１つの実施形態では、濃縮香料組成物は高引火点を有し、例えば、クローズドカップ引火点手順を用いて測定されるとき、約３８℃超、又は５０℃超、又は６０℃超、又は７０℃超、又は８０℃超、又は９０℃超、又は９５℃超、又は１００℃超である。
【００２９】
本明細書で使用するとき、用語「香料」には、芳香性物質又はその混合物が含まれ、これには天然（すなわち、花、薬草、葉、根、樹皮、木、樹花、又は植物の抽出により得られる）、人工（すなわち、異なる天然油又は油構成要素の混合物）、並びに合成（すなわち、合成によって製造される）の香気性物質が挙げられる。このような物質は、多くの場合、固定剤、展延剤、安定剤、及び溶媒のような補助物質を伴う。これらの補助物質は、本明細書で使用するときには「香料」の意味に包含されない。通常、香料は、複数の有機化合物の錯体混合物である。１つの実施形態では、本発明の香料は、約１２未満、又は１１未満、又は１０未満、又は９未満、又は８未満、又は６未満、又は５未満、又は４未満、或いは約１超である、総合誘電率を有してもよい。別の実施形態では、香料は、少なくとも１、又は少なくとも２、又は少なくとも３、又は少なくとも４、又は少なくとも５、又は少なくとも６、又は少なくとも７、又は少なくとも８、又は少なくとも９、又は少なくとも１０、又は少なくとも１１、又は少なくとも１２、或いは約１００以下の異なる個別の香料組成物を有してもよい。
【００３０】
上述した香料成分に好適な溶媒、希釈剤、又はキャリアは、例えば、エタノール、イソプロパノール、ジエチレングリコール、モノエチルエーテル、ジプロピレングリコール、ジエチルフタレート、トリエチルシトレートなどである。香料に組み込まれるこのような溶媒、希釈剤又はキャリアの量は、好ましくは、均質な香料溶液を提供するのに必要な最小限に保たれる。１つの実施形態では、濃縮香料組成物は、いかなる溶媒、希釈剤、又はキャリアをも有さないか、又は実質的に含まない。
【００３１】
香料成分はまた、放出性芳香剤として、例えば米国特許第５，６５２，２０５号（ハートマン（Hartman）ら、１９９７年７月２９日発行）に記載されるプロ香料又はプロ芳香剤として適切に添加されてもよい。
【００３２】
本発明の１つの態様は、両親媒性物質を提供する。本発明の両親媒性物質には、少なくとも６個の炭素からなる少なくとも１つの炭化水素鎖を含む化合物が挙げられる。炭素鎖が二価結合基に割り込まれていても許容される。本発明の両親媒性物質は、少なくとも１個の電気陰性原子、或いは２個、３個、４個、５個、６個、又は７個の電気陰性原子を含む。好ましい電気陰性原子には、イオウ、窒素、及び酸素が挙げられる。１つの実施形態では、両親媒性物質は、非イオン性界面活性剤、嵩高先端基を有する非イオン性物質、アルコキシル化カチオン性四級アンモニウム界面活性剤、又はこれらの組合せから選択される。
【００３３】
１．非イオン性界面活性剤
１つの実施形態では、両親媒性物質は非イオン性界面活性剤である。好ましくは、アルキル又はアルキルアリールアルコキシル化界面活性剤及びアルキル又はアルキルアリールアミン、アミド、及びアルコキシル化アミン−オキシドは次の一般式：
Ｒ１ｍ−Ｙ−［（Ｒ２−Ｏ）ｚ−Ｈ］ｐ
を有し、式中、各Ｒ１は、飽和、不飽和、一級、二級、又は分枝鎖のアルキル又はアルキルアリール炭化水素から選択され、前記炭化水素鎖は好ましくは約６〜約２２の鎖長を有し、より好ましくは約８個〜約１８個の炭素原子からなり、さらに好ましくは約８個〜約１５個の炭素原子からなり、好ましくは直鎖であり、アリール部分を有さず、各Ｒ２は、次の基又は次の基の組合せ：−（ＣＨ２）ｎ−及び／又は−［ＣＨ（ＣＨ３）ＣＨ２］−（式中、約１＜ｎ≦約３）から選択され、Ｙは次の基：−Ｏ−、−Ｎ（Ａ）ｑ−、−Ｃ（Ｏ）Ｏ−、−Ｃ（Ｏ）Ｎ−（Ｏ←）Ｎ（Ａ）ｑ−、−Ｂ−Ｒ３−Ｏ−、−Ｂ−Ｒ３−Ｎ（Ａ）ｑ−、−Ｂ−Ｒ３−Ｃ（Ｏ）Ｏ−、−Ｂ−Ｒ３−Ｎ（→Ｏ）（Ａ）ｑ−、及びこれらの混合物から選択され、Ａは、次の基：Ｈ、Ｒ１、−（ＣＨ２）ｘＣＨ３、フェニル、又は置換アリール（式中、０≦ｘ≦約３）から選択され、及びＢは、次の基：−Ｏ−、−Ｎ（Ａ）−、−Ｃ（Ｏ）Ｏ−、−Ｃ（Ｏ）Ｎ−及びこれらの混合物（式中、Ａは上記に定義された通りである）から選択され、各Ｒ３は次の基：Ｒ２、フェニル、又は置換アリールから選択される。各アルコキシ鎖の末端水素は、アルコキシ鎖を「覆」うため、短鎖であるＣ１〜４アルキル又はアシル基で置換され得る。ｚは約１〜約３０である。ｐは、エトキシレート鎖の数であり、典型的には１又は２、好ましくは１であり、ｍは疎水鎖の数であり、典型的には１又は２、好ましくは１であり、ｑはこの構造を完結する数であり、通常１である。
【００３４】
一部の非限定的で好ましい構造は、ｍ＝１、ｐ＝１又は２、及びｚ≧約２であり、より好ましくはｚ≧９であり、ｑは１又は０であることができるが、ｐ＋ｍ＝３であるとき、ｑは０でなければならない。
【００３５】
より好ましい非限定的な部類の構造は、Ｒ１は少なくとも約１０個の炭素からなり、好ましくは少なくとも約１２個の炭素からなり、Ｙ＝０、ｍ＝１、ｐ＝１、及びｚ≧約９であるような構造であり、さらに好ましいものは、Ｒ１は少なくとも約１０個の炭素からなり、好ましくは少なくとも約１２個の炭素からなり、Ｙ＝０、ｍ＝１、ｐ＝１、及びｚ≧約１２であるような構造、並びに、Ｒ１は少なくとも約１０個の炭素からなり、好ましくは少なくとも約１２個の炭素からなり、Ｙ＝０、ｍ＝１、ｐ＝１、及びｚ≧約１８であるような構造である。
【００３６】
このタイプの好ましい構造のいくつかの非限定的な例は、ステパン社（Stepan）（米国イリノイ州ノースフィールド（Northfield））からのポリステップ（Polystep）（登録商標）ＴＤ１８９、バイオソフト（Biosoft）（登録商標）Ｅ−８４０、バイオソフト（登録商標）Ｅ−８４７及びメイコン（Makon）（登録商標）Ｔ１８；ユニケマ社（Uniqema）（米国、デラウェア州ニューキャッスル）からのアラソルブ（Arlasolve）（登録商標）２００及びアラソルブ（登録商標）２００液体／ゲルである。好ましい非イオン性界面活性剤の別のグループにはアミン−オキシドが挙げられる。アミン−オキシドは組成物のｐＨに依存してアミン部分及びオキシド部分に部分的又は全体的な電荷を有する一方で、これら２つの電荷を合計するとゼロになることから、アミン−オキシドは非イオン性と考えることができる。エトキシ化アミン−オキシドは上述した従来のアミンオキシドよりもさらに好ましく、それはこれらの物質が香料をより微細に分散し、それゆえに香料吸着の改善を提供するからである。いくつかの他の好ましい非限定的な構造は、ｍ＝１、ｙ＝（Ｏ←）Ｎ（Ａ）ｑ、ｐ＝２、ｑ＝０、Ｒ２＝−（ＣＨ２）ｎ−（式中、ｎ＝２）、及びｚ≧１である。このタイプの構造の非限定的な例は、エトキシ化アミン−オキシド、アクゾ・ノーベル社（Akzo Nobel）（米国ニューヨーク州ドブズフェリー（Dobbs Ferry））から入手可能なアロモックス（Aromox）（登録商標）Ｃ／１２である。
【００３７】
２．嵩高先端基を有する非イオン性物質
嵩高先端基を持った好適なアルコキシル化及び非アルコキシル化相安定化剤は、一般に、飽和又は不飽和の、一級、二級及び分枝状脂肪族アルコール、脂肪酸、アルキルフェノール、及びアルキル安息香酸から誘導され、これらは炭水化物基又は複素環式先端基によって誘導体化される。これでこの構造は、任意選択的に、さらに多くのアルキル又はアルキルアリールアルコキシル化又は非アルコキシル化炭化水素で置換することができる。この構造はまた、１個以上の複素環単位又は炭水化物単位により誘導体化することができる。複素環単位又は炭水化物単位の少なくとも１個は、１個以上のアルキレンオキシド鎖（例えば、エチレンオキシド及び／又はプロプレンオキシド）によりアルコキシル化されていて、各両親媒性物質は、両親媒性物質あたり４モル以上、好ましくは８モル以上、より好ましくは約１０モル以上、最も好ましくは約１５モル以上のアルキレンオキシドを有する。両親媒性物質上の炭化水素基は、約６〜約２２個の炭素原子を有し、直鎖又は分枝鎖のいずれかの配置である。特に好ましい両親媒性物質は、約８〜約１８個の炭素原子からなる少なくとも１個の炭化水素を有し、１個の炭水化物部分又は複素環部分を有するとともに、両親媒性物質あたり、約１０モル以上のアルキレンオキシド、好ましくは１５モル以上のアルキレンオキシドを有する。
【００３８】
好ましくは、嵩高先端基を有するアルコキシル化及び非アルコキシル化非イオン性界面活性剤は、次の一般式：
Ｒ１−Ｃ（Ｏ）−Ｙ’−［Ｃ（Ｒ５）］ｍ−ＣＨ２Ｏ（Ｒ２Ｏ）ｚＨ
を有し、式中、Ｒ１は、飽和又は不飽和で、一級、二級、又は分枝鎖アルキル又はアルキルアリール炭化水素であり、前記炭化水素鎖は約６〜約２２の鎖長を有し、Ｙ’は次の基：−Ｏ−、−Ｎ（Ａ）−、及びこれらの混合物から選択され、Ａは次の基：Ｈ、Ｒ１、−（Ｒ２−Ｏ）ｚ−Ｈ、−（ＣＨ２）ｘＣＨ３、フェニル、又は置換アリールから選択され（式中、０≦ｘ≦約３である）、ｚは約５〜約３０であり、各Ｒ２は、次の基又は次の基の組合せ：−（ＣＨ２）ｎ−及び／又は−［ＣＨ（ＣＨ３）ＣＨ２］−から選択され、各Ｒ５は次の基：−ＯＨ及び−Ｏ（Ｒ２Ｏ）ｚ−Ｈから選択され、ｍは約２〜約４であり、ｎは２又は３である。
【００３９】
この部類の両親媒性物質についての別の有用な一般式は、この両親媒性物質が複素環を有する場合、次式：
【化１】
2009538956.tif 000004
となり、式中、Ｙ”＝Ｎ又はＯであり、各Ｒ５は次式：
−Ｈ、−ＯＨ、−（ＣＨ２）ｘＣＨ３、−（ＯＲ２）ｚ−Ｈ、−ＯＲ１、−ＯＣ（Ｏ）Ｒ１、及び−ＣＨ２（ＣＨ２−（ＯＲ２）ｚ”−Ｈ）−ＣＨ２−（ＯＲ２）ｚ’−Ｃ（Ｏ）Ｒ１から独立に選択される。ｘＲ１、及びＲ２については、上記セクションＤで定義した通りである。好ましくはｚ＋ｚ’＋ｚ”の合計は少なくとも約５、より好ましくは少なくとも約１０、さらに好ましくは少なくとも約１５、さらにより好ましくは少なくとも約２０である。この構造の特に好ましい形において、複素環は５員環であり、Ｙ”＝０であり、１個のＲ５は−Ｈであり、２個のＲ５は−Ｏ−（Ｒ２Ｏ）ｚ−Ｈであり、少なくとも１個のＲ５は次の構造：−ＣＨ（ＣＨ２−（ＯＲ２）ｚ”−Ｈ）−ＣＨ２−（ＯＲ２）ｚ’−ＯＣ（Ｏ）Ｒ１を有し、約８≦ｚ＋ｚ’＋ｚ”≦約２０であり、Ｒ１は約８〜２０個の炭素原子を有するがアリール基を全く有さない炭化水素である。この部類の両親媒性物質の例として、ユニケマ社（Uniqema）から入手可能なトゥウィーン（Tween）（登録商標）２０、２１、４０、６０、及び８０、８１、８５が挙げられる。
【００４０】
使用できる界面活性剤の別のグループは、次式：
Ｒ６−Ｃ（Ｏ）−Ｎ（Ｒ７）−Ｗのポリヒドロキシ脂肪酸アミド界面活性剤であり、
式中、各Ｒ７は、Ｈ、Ｃ１〜Ｃ４ヒドロカルビル、Ｃ１〜Ｃ４アルコキシアルキル又はヒドロキシアルキル（例えば、２−ヒドロキシエチル、２−ヒドロキシプロピルなど）であり、好ましくはＣ１〜Ｃ４アルキル、より好ましくはＣ１又はＣ２アルキル、最も好ましくはＣ１アルキル（すなわち、メチル）又はメトキシアルキルであり、Ｒ６はＣ５〜Ｃ３１ヒドロカルビル部分であり、好ましくは直鎖Ｃ７〜Ｃ１９アルキル又はアルケニル、より好ましくは直鎖Ｃ９〜Ｃ１７アルキル又はアルケニル、最も好ましくは直鎖Ｃ１１〜Ｃ１７アルキル又はアルケニル又はこれらの混合物であり、Ｗは、ヒドロカルビル直鎖とその直鎖に直接結合した少なくとも３個のヒドロキシル基を有するポリヒドロキシ炭化水素部分、又はそのアルコキシル化（好ましくはエトキシ化若しくはプロポキシル化）誘導体である。Ｗは、好ましくは、還元型アミノ化反応における還元糖から誘導され、より好ましくは、Ｗはグリシチル部分である。Ｗは好ましくは、−ＣＨ２−（ＣＨＯＨ）ｎ−ＣＨ２ＯＨ、−ＣＨ（ＣＨ２ＯＨ）−（ＣＨＯＨ）ｎ−ＣＨ２ＯＨ、−ＣＨ２−（ＣＨＯＨ）２（ＣＨＯＲ’）（ＣＨＯＨ）−ＣＨ２ＯＨ及びこれらのアルコキシル化誘導体からなる群から選択され、式中、ｎは包括的に３〜５の整数であり、Ｒ’はＨ又は環状単糖若しくは多糖である。最も好ましいものは、ｎが４であるグリシチル、特に−ＣＨ２−（ＣＨＯＨ）４−ＣＨ２Ｏである。上記Ｗ部分の混合物が望ましい。
【００４１】
Ｒ６は、例えば、Ｎ−メチル、Ｎ−エチル、Ｎ−プロピル、Ｎ−イソプロピル、Ｎ−ブチル、Ｎ−イソブチル、Ｎ−２−ヒドロキシエチル、Ｎ−１−メトキシプロピル、又はＮ−２−ヒドロキシプロピルであることができる。
【００４２】
Ｒ６−Ｃ（Ｏ）−Ｎ＜は、例えば、ココアミド、スステアルアミド、オレアミド、ラウラミド、ミリスタミド、カプリカミド、パルミトアミド、タローアミドなどであることができる。
【００４３】
Ｗは、１−デオキシグルシチル、２−デオキシフルクチチル、１−デオキシマルチチル、１−デオキシラクチチル、１−デオキシガラクチチル、１−デオキシマンニチル、１−デオキシマルトトリオチチルなどであることができる。
【００４４】
３．アルコキシル化カチオン性四級アンモニウム界面活性剤
本発明に好適なアルコキシル化カチオン性四級アンモニウム界面活性剤は、一般に、脂肪族アルコール、脂肪酸、脂肪族メチルエステル、アルキル置換フェノール、アルキル置換安息香酸、及び／又はアルキル置換安息香酸エステルから誘導され、これらは任意に別の長鎖アルキル又はアルキル−アリール基とさらに反応することができるアミンに変換され、このアミンは続いてアルコキシル化され、１又は２本のアルキレンオキシド鎖はそれぞれ、両親媒性物質１モルあたり約４モル以下のアルキレンオキシド部分（例えば、エチレンオキシド及び／又はプロピレンオキシド）を有する。この部類に典型的なのは、脂肪族飽和又は不飽和、一級又は二級、又は分枝鎖アミンで、約６〜約２２個の炭素原子の炭化水素鎖を１又は２本有するもので、このアミン上の１又は２本のアルキレンオキシド鎖はそれぞれ約４モル以上のアルキレンオキシド部分を有する。本明細書で用いるアミン炭化水素は約６〜約２２個の炭素原子を有し、直鎖又は分枝鎖のいずれかの配置であり、約８〜約１８個の炭素原子を有する直鎖配置内に好ましくは１個のアルキル炭化水素基が存在する。好適な四級アンモニウム界面活性剤は１又は２本のアルキレンオキシド鎖がアミン部分に結合するようにつくられており、アルキル鎖あたり約４モル以上のアルキレンオキシドの平均量を有する。この部類の非限定的な例には、アクゾ社（Akzo）からのエトクァッド（Ethoquad）（登録商標）１８／２５、Ｃ／２５、及びＯ／２５、並びに、ゴールドシュミット（Goldschmidt）社からのバリクァット（Variquat）（登録商標）−６６（約１６個のエトキシ単位を有する柔軟タローアルキルビス（ポリオキシエチル）アンモニウムエチルサルフェート）が挙げられる。
【００４５】
好ましくは、アンモニウムアルコキシル化カチオン性界面活性剤の化合物は次の一般式：
｛Ｒ１ｍ−Ｙ−［（Ｒ２−Ｏ）ｚ−Ｈ］ｐ｝＋Ｘ−
を有し、式中、Ｒ１及びＲ２は上記セクションＤですでに定義された通りであり、
Ｙは次の基：＝Ｎ＋−（Ａ）ｑ、−（ＣＨ２）ｎ−Ｎ＋−（Ａ）ｑ、−Ｂ−（ＣＨ２）ｎ−Ｎ＋−（Ａ）２、−（フェニル）−Ｎ＋−（Ａ）ｑ、−（Ｂ−フェニル）−Ｎ＋−（Ａ）ｑから選択され、ｎは約１〜約４である。
【００４６】
各Ａは次の基：Ｈ、Ｒ１、−（Ｒ２Ｏ）ｚ−Ｈ、−（ＣＨ２）ｘＣＨ３、フェニル、及び置換アリールから独立に選択され（式中、０≦ｘ≦約３）、Ｂは次の基：−Ｏ−、−ＮＡ−、−ＮＡ２、−Ｃ（Ｏ）Ｏ−、及び−Ｃ（Ｏ）Ｎ（Ａ）−から選択され、式中、Ｒ２は上記の通り定義され、ｑ＝１又は２であり、並びに、
Ｘ−は、柔軟仕上げ剤活性物質及び添加剤成分と適合性のあるアニオンである。
【００４７】
好ましい構造はｍ＝１、ｐ＝１又は２、及びｚが約４以上であるものである。
【００４８】
１つの実施形態では、両親媒性物質はポリオキシエチレンソルビタンモノラウレートからなり、これは、ポリオキシエチレン（２０）ソルビタンモノラウレート、トゥウィーン（TWEEN）２０、ポー（Poe）２０ソルビタンモノラウレート、ＰＳＭＬ、アーモタン（armotan）ｐｍｌ−２０、キャプムル（capmul）、エムソーブ（emsorb）６９１５、グリコスピア（glycospere）Ｌ−２０、リポソーブ（liposorb）Ｌ−２０としても既知である。ポリオキシエチレンソルビタンモノラウレートは分子式Ｃ５８Ｈ１１４Ｏ２６、ＣＡＳ番号：９００５−６４−５を有する。
【００４９】
本発明の別の態様は、本発明の濃縮香料組成物を１種以上の布地柔軟化活性物質を含む組成物に添加する工程を含む香り付けされた布地ケア組成物の製造方法を提供し、好ましくはこの布地柔軟化活性物質を含む組成物は香料を含まないか又は実質的に含まない。濃縮香料組成物は布地柔軟化活性物質（１種又は複数種）を含む組成物と組み合わされ、結果として生ずる組成物は、香料と布地柔軟化活性物質を含む布地ケア組成物全体の少なくとも約０．１重量％、又は約０．２重量％超、又は０．３重量％超、又は０．５重量％超、又は０．７重量％超、又は０．９重量％超、又は１重量％超、又は２重量％超、又は３重量％超、又は４重量％超、又は５重量％超、又は１０重量％超、或いは約３０重量％未満、又は約２５重量％未満、又は２０重量％未満、又は１５重量％未満、又は１２重量％未満の香料を含むようにされる。
【００５０】
香り付けされた布地ケア組成物は、香料と両親媒性物質の比がそれぞれ少なくとも約３：１、或いは４：１、又は５：１、又は６：１、又は７：１、又は８：１、又は９：１、又は１０：１、或いは１００：１以下である。
【００５１】
１つの実施形態では、本発明の香り付けされた布地ケア組成物（布地柔軟化活性物質を含む）が比較的高濃度の香料（例えば、布地ケア組成物の約２〜１０重量％の香料）を含むとき、この布地ケア組成物は、好ましくは前記香り付けされた布地ケア組成物の約３重量％未満の両親媒性物質、或いは、約２重量％未満、又は１重量％未満、又は０．５重量％未満、又は０．４重量％未満、又は０．３重量％未満、又は０．２重量％未満、又は０．１重量％未満、或いは約０．００１重量％超の両親媒性物質を含む。
【００５２】
用語「布地柔軟化活性物質」は本明細書において最も広い意味で使用されて、洗濯作業中に布地に柔軟化効果を付与することが知られているあらゆる化合物を含む。１つの実施形態では、布地柔軟化活性物質は、四級アンモニウム化合物、エステル四級アンモニウム化合物、四級アミン化合物、カチオンデンプン化合物、粘土化合物、脂肪酸化合物、トリグリセリド化合物、ジグリセリド化合物、又はこれらの組合せから選択される。本発明の組成物における布地柔軟化活性物質の典型的な最低組み込み濃度は、前記組成物の少なくとも約０．５重量％、又は１重量％、又は２重量％、又は３重量％、又は４重量％、又は５重量％、又は６重量％、又は７重量％、又は８重量％、又は９重量％、又は１０重量％、又は１１重量％、又は１２重量％、或いは、９０重量％以下、又は３０重量％以下、又は２０重量％以下である。
【００５３】
布地柔軟化活性物質の例の１つは、カチオンデンプン化合物である。用語「カチオンデンプン」は、本明細書では最も広い意味で使用される。好適なカチオンデンプン化合物は、米国特許公開第２００４／０２０４３３７Ａ１号（２００４年１０月１４日公開、コロナ（Corona）ら）に記載されている。１つの実施形態では、本発明の組成物は一般的に、前記組成物の約０．１重量％〜約７重量％の濃度でカチオンデンプンを含み、より好ましくは０．１重量％〜約５重量％、より好ましくは約０．３重量％〜約３重量％、さらに好ましくは約０．５重量％〜約２．０重量％の濃度でカチオンデンプンを含む。
【００５４】
布地柔軟化活性物質の別の例は、四級アンモニウム又は四級アミン化合物である。１つの実施形態では、布地柔軟化活性物質はジエステル四級アンモニウム化合物又は別の窒素系化合物又はこれらの組合せである。例には、米国特許公開第２００４／０２０４３３７Ａ１号（２００４年１０月１４日公開、コロナ（Corona）ら）の段落３０〜７９、米国特許公開第２００４／０２２９７６９Ａ１号（２００５年１１月１８日公開、スミス（Smith）ら）の段落２６〜３１、又は米国特許第６，４９４，９２０号の第１欄５１行以降の、「エステルクアット（esterquat）」すなわち四級化脂肪酸トリエタノールアミンエステル塩の詳細既述に記載されるものが挙げられる。透明又は半透明な液体布地柔軟化組成物用の他の布地柔軟化活性物質は、米国特許第５，７４７，４４３号、同第５，７５９，９９０号、及び第６，３２３，１７２号に記載されている。本明細書に使用できる他の布地柔軟化活性物質は、少なくとも基本構造に関して包括的に、米国特許第３，８６１，８７０号、同第４，３０８，１５１号、同第３，８８６，０７５号、同第４，２３３，１６４号、同第４，４０１，５７８号、同第３，９７４，０７６号、及び同第４，２３７，０１６号に開示されている。さらに生分解性の高い柔軟仕上げ剤の例は、米国特許第３，４０８，３６１号、同第４，７０９，０４５号、同第４，２３３，４５１号、同第４，１２７，４８９号、同第３，６８９，４２４号、同第４，１２８，４８５号、同第４，１６１，６０４号、同第４，１８９，５９３号、及び同第４，３３９，３９１号に見出すことができる。
【００５５】
１つの実施形態では、布地柔軟化活性物質は、ジタローオイルオキシエチル（ditallowoyloxyethyl）ジメチルアンモニウムクロライド、ジ水素添加タローオイルオキシエチルジメチルアンモニウムクロライド、ジキャノーラ−オイルオキシエチルジメチルアンモニウムクロライド、ジタロージメチルアンモニウムクロライド、トリタローメチルアンモニウムクロライド、メチルビス（タローアミドエチル）２−ヒドロキシエチルアンモニウムメチルサルフェート、メチルビス（水素添加タローアミドエチル）−２−ヒドロキシエチルアンモニウムメチルサルフェート、メチルビス（オレイルアミドエチル）−２−ヒドロキシエチルアンモニウムメチルサルフェート、ジタローオイルオキシエチルジメチルアンモニウムメチルサルフェート、ジ水素添加タローオイルオキシエチルジメチルアンモニウムクロライド、ジキャノーラ−オイルオキシエチルジメチルアンモニウムクロライド、Ｎ−タローオイルオキシエチル−Ｎ−タローオイルアミノプロピルメチルアミン、１，２−ビス（硬化タローオイルオキシ）−３−トリメチルアンモニウムプロパンクロライド、及びこれらの組合せから選択される。
【００５６】
別の例では、布地柔軟化活性物質は粘土である。粘土は、米国特許出願公開番号２００３／０２１６２７４  Ａ１号（ヴァレリオ・デル・ドゥカ（Valerio Del Duca）ら、２００３年１１月２０日公開）に記載されている。粘土の例には、スメクタイト、カオリナイト、及びイライトが挙げられる。スメクタイト粘土は、米国特許第３，８６２，０５８号、第３，９４８，７９０号、第３，９５４，６３２号及び第４，０６２，６４７号において開示されている。
【００５７】
本発明の別の態様は、濃縮香料組成物と、カチオン性ポリマーを含む布地ケア組成物（香り付けされたもの、又は香り付けされていないもの）とを提供する。１つの実施形態では、組成物は、約０．００１％〜約１０％、又は約０．０１％〜約５％、又は約０．１％〜約２％の、カチオン性ポリマーを含む。１つの実施形態では、カチオン性ポリマーは、約８．３０Ｅ−２２ｇ（５００ダルトン）〜約１．６６Ｅ−１８ｇ（１，０００，０００ダルトン）、又は約１．６６Ｅ−２１ｇ（１，０００ダルトン）〜約８．３０Ｅ−１９ｇ（５００，０００ダルトン）、又は約１．６６Ｅ−２１ｇ（１，０００ダルトン）〜約４．１５Ｅ−１９ｇ（２５０，０００ダルトン）、又は約３．３２Ｅ−２１ｇ（２，０００ダルトン）〜約１．６６Ｅ−１９ｇ（１００，０００ダルトン）の、分子量を有してもよい。別の実施形態では、カチオン性ポリマーは、少なくとも約０．０１ｍｅｑ／ｇｍ．、又は約０．１〜約８ｍｅｑ／ｇｍ．、又は約０．５〜約７、又は約２〜約６の電荷密度を有する。カチオン性ポリマーは米国特許番号第６，４９２，３２２Ｂ１号、第６欄６５行以下に記載されている。
【００５８】
１つの実施形態では、カチオン性ポリマーは、多糖類ガムを含む。多糖類ガムのうち、ガラクトマンナンガムであるグアーガム及びイナゴマメガムは市販されており、好ましい。別の実施形態では、カチオン性ポリマーはカチオン性グアーガムを含む。グアーガムは、メイホール・アンド・ステインホール（Meyhall and Stein−Hall）による商標名ＣＳＡＡ  Ｍ／２００、ＣＳＡ  ２００／５０で販売されており、ヒドロキシアルキル化グアーガムは同じ供給元から入手可能である。他の市販されている多糖類ガムには、キサンタンガム、ガティガム、タマリンドガム、アラビアゴム、及び寒天が挙げられる。カチオン性グアーガム及びそれらの製造方法は、英国特許番号第１，１３６，８４２号及び米国特許番号第４，０３１，３０７号に開示されている。好ましくはこれらは０．１〜約０．５のＤ．Ｓ．を有する。
【００５９】
本発明の布地ケア組成物は、洗濯物の洗浄、すすぎなどの処理方法に好適ないずれのやり方でも使用されてよい。例えば、布地ケア組成物は、自動洗濯機のすすぎサイクルで使用するのに好適な液体で、リンス添加された布地柔軟化組成物を含んでもよい。或いは、布地ケア組成物は手洗いの状況でも使用されるものであってもよく、この布地ケア組成物は、液体で、リンス添加された布地柔軟化組成物であり、いわゆる「シングルリンス」組成物（“single rinse” composition）において使用される。欧州特許第１  ３７０  ６３４  Ｂ１号を参照されたい。一般的には、本発明の布地ケア組成物は固体（粉末、粒剤、顆粒、棒状、錠剤）、くぼみのある錠剤、液体、ペースト、ゲル、スプレー、スティック又はフォームの形状であり得る。
【００６０】
別の実施形態では、本発明の組成物は、１種以上の任意の補助成分を含んでもよい。さらに別の実施形態では、本発明の組成物は１種以上の任意の補助成分を含まなくてもよく、本質的に含まなくてもよい。用語「補助成分」としては、香料、分散剤、安定剤、ｐＨ制御剤、金属イオン制御剤、着色剤、増白剤、色素、臭気抑制剤、プロ香料、シクロデキストリン、溶媒、汚れ遊離ポリマー、防腐剤、抗菌剤、塩素スカベンジャー、酵素、収縮防止剤、布地糊付け剤、染み付き防止剤、酸化防止剤、腐食防止剤、整形剤（bodying agent）、ドレープ及び形状制御剤、スムージング剤（smoothness agents）、静電気抑制剤、しわ制御剤、浄化剤、消毒剤、細菌抑制剤、モールド制御剤、白カビ制御剤、抗ウイルス剤、抗菌剤、乾燥剤、染み防止剤、汚れ遊離剤、悪臭抑制剤、布地リフレッシュ剤、塩素漂白臭気抑制剤、染料固定剤、移染防止剤、色保全剤、色回復／再生剤、色あせ防止剤、白色度増強剤、耐磨耗剤（anti-abrasion agent）、耐摩耗剤（wear resistance agent）、布地保全剤（fabric integrity agent）、耐磨耗剤（anti-wear agent）、及びすすぎ補助剤、紫外線保護剤、太陽光劣化阻害剤、防虫剤、抗アレルギー剤、酵素、難燃剤、防水加工剤、布地調整剤（fabric comfort agent）、水コンディショニング剤、防縮剤、伸び防止剤、並びにこれらの組合せを挙げてもよい。１つの実施形態では、組成物は、前記組成物の約２重量％までの補助成分を含む。さらに別の実施形態では、本発明の組成物は、１種以上の任意の補助成分を含んでいなくても、又は実質的に含んでいなくてもよい。
【００６１】
１つの実施形態では、本発明の香料は、約１２未満、又は１１未満、又は１０未満、又は９未満、又は８未満、又は６未満、又は５未満、又は４未満、或いは約１超の総合の誘電率（combined dielectric constant）を有してもよい。香料は、少なくとも１、又は少なくとも２、又は少なくとも３、又は少なくとも４、又は少なくとも５、又は少なくとも６、又は少なくとも７、又は少なくとも８、又は少なくとも９、又は少なくとも１０、又は少なくとも１１、又は少なくとも１２、或いは約１００以下の異なる個別の香料組成物を有してもよい。香料及び香料−両親媒性物質混合物の誘電率を測定する方法が提供されている。香料及び香料−両親媒性物質混合物の誘電率は、サイエンティフィカ社（Scientifica）製の誘電率メーター（Dielectric Constant Meter）モデル８７０を使用して測定される。この誘電率メーターは試料の伝導度を補正して誘電率をリードアウト（read-out）として、また２本の同心シリンダーからなるプローブとして提供するメーターを含む。プローブは、ナイロン製ねじによって保たれる間隙を有するステンレス鋼製精密シリンダーから構成される。プローブは、外側のシリンダーは測定信号源（６ボルトＲＭＳ、１０ｋｈｚ、歪みの非常に少ない正弦波）に接続されることで、絶縁同軸ケーブルによりメーターに接続される。内側のシリンダーは検出回路に接続される。最も外側のシリンダーの寸法は、直径２ｃｍ及び長さ８ｃｍである。液体を測定する前には、プローブは低誘電率の炭化水素液で洗浄してから圧縮空気により穏やかに乾燥される。香料又は香料−両親媒性物質混合物は、５０ｍｌメスシリンダー内に入れられた約４０ｍｌのこの液体にプローブを浸すことにより測定される。プローブは液体の中央に浮かされて、このプローブが、測定される液体にのみ接触するようにされる。正弦波の振幅は、１〜２０又は１〜２００のいずれかを選択するトグルスイッチを使用して設定される。設定は、誘電率を一括して選択される。操作パネルは、伝導度を補正するための粗調整ノブ及び微調整ノブ、並びに、ダイヤルが正確に設定されていることを示す信号装置として働くＬＥＤを有する。粗調整ダイヤルは最初に調整され、この６ポジション・ダイヤルは「高」と記されたＬＥＤが点灯しな
くなるまで回されるが、「低」と記されたＬＥＤは依然として点灯していてもよい。次に、微調整ダイヤルを調整して「低」と記されたＬＥＤを消灯する。ダイヤルが調整されて両方のＬＥＤが消灯すると、伝導度は安定化され、リードアウトは液体の誘電率（単位なし数量）である。試料は２２〜２７℃の温度で測定される。
【実施例】
【００６２】
（実施例１）
以下は本発明の濃縮香料組成物の非限定例である。実施例１の組成物は香料と両親媒性物質との単純な混合を使用して調製される。
【表２】
2009538956.tif 000005
【表３】
2009538956.tif 000006
ｊ．残部は両親媒性物質の非活性部分である。
【００６３】
（実施例２）
以下は、本発明の布地ケア組成物の非限定的実施例である。
【表４】
2009538956.tif 000007
ａ  Ｎ，Ｎ−ジ（タローオイルオキシエチル）−Ｎ，Ｎ−ジメチルアンモニウムクロライド、又は
ｂ  Ｎ，Ｎ−ジ（キャノーラ−オイルオキシエチル）−Ｎ，Ｎ−ジメチルアンモニウムクロライド。
ｃ  メチルビス（タローアミドエチル）２−ヒドロキシエチルアンモニウムメチルサルフェート。
ｄ  ２５％〜９５％のアミロース、及び０．０２〜０．０９の置換度を含有し、及び５０〜８４の値を有する水流動性として測定される粘性を有する、普通のメイズスターチ又はポテトスターチをベースにするカチオンデンプン。
ｅ  ２，２，４−トリメチル−１，３−ペンタンジオール。
ｆ  米国特許第５，５７４，１７９号、第１５欄、１〜５行目に記載の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は、本質的にエチレン、１，２−プロピレン部分、又はこれらの混合物である。
ｇ  ジエチレントリアミン五酢酸。
ｈ  ローム・アンド・ハース社（Rohm and Haas Co.）から入手可能なカトン（KATHON）（登録商標）ＣＧ。
ｉ  ＤＣ２３１０の商品名でダウ・コーニング社（Dow Corning Corp.）から入手可能なシリコーン消泡剤。
Ｊ  表２から選択される両親媒性物質
【００６４】
以下の実施例は、濃縮香料組成物を使用することにより香料を布地ケア組成物に組み込むための加工方法を実証する。濃縮香料組成物は加工（実施例３）の開始に先立って製造されることができ又は濃縮香料組成物は加工ルーチン（実施例４）の一部として形成されることができる。
【００６５】
（実施例３）
濃縮香料組成物を使用して製造される布地ケア製品の実施例が提供される。濃縮香料組成物は５０００ｇの香料（総合の誘電率の値が６．７４）と５８１．５ｇのトゥウィーン（TWEEN）２０とをプレミックスすることにより製造される。下記の表１に詳述された手順を使用して濃縮香料組成物を布地ケア組成物に添加する。濃縮香料組成物は布地ケア組成物に、前記布地ケア組成物の１．６５重量％の濃度で添加されて、布地ケア組成物の１．５重量％の濃度の香料を得る。表３（下記に提供される）は、加工に先立って形成される濃縮香料組成物を使用する場合の香料組み込みの結果を詳述する。これらの結果は実施例４の実験１１〜１２の結果と比較でき、ここでは、ニート香料が布地ケア組成物に組み込まれる。誘電率６．７４を有するニート香料が布地ケア組成物に組み込まれる場合、香料は布地ケア組成物から分離する。誘電率６．７４を有する香料が布地ケア組成物に濃縮香料組成物として組み込まれる場合、香料の組み込みは成功する。
【００６６】
表３は、加工の開始に先立って形成される濃縮香料組成物を使用する場合の組み込み及び手順の結果を詳述する。
【表５】
2009538956.tif 000008
【００６７】
図１は濃縮香料組成物を布地ケア組成物に添加する手順の概略図である。
【００６８】
（実施例４）
濃縮香料組成物を布地ケア組成物に添加する直前に香料と両親媒性物質をインライン混合することによって形成される濃縮香料組成物の添加の実施例が提供される。
【００６９】
以下の実験１〜９では、香料（誘電率＝６．７４）はアラソルブ（Arlasolve）２００液体ゲル、両親媒性物質とインライン混合によりブレンドされて、濃縮香料組成物を形成し、その後この濃縮香料組成物を布地ケア組成物に直接インライン注入する。プロセスは図２に示される。この実施例に使用される両親媒性物質はアラソルブ（Arlasolve）２００液体ゲルである。香料及び両親媒性物質が添加されて製品組成物の１．５重量％の濃度の香料及び０．２３重量％の濃度のアラソルブ（Arlasolve）２００液体ゲルを得る。実験１１〜１２は、濃縮香料組成物の代わりにニート香料を使用して、このニート香料が適切に組み込まれないことを実証する。実験１１〜１２では、香料は布地ケア組成物から分離する。実験１１〜１２は、香料を濃縮香料組成物として布地ケア組成物に組み込む必要性を実証する。
【００７０】
表４濃縮香料組成物を布地ケア組成物に添加する直前に濃縮香料組成物インラインを形成することによる香料の組み込み（実験１〜９）、及び対照としてのニート香料の組み込み（実験１１〜１２）の詳細と両方の手順の結果。
【表６】
2009538956.tif 000009
【００７１】
（実施例５）
下記の実施例１〜６において、香料（誘電率＝６．３８）とアラソルブ（Arlasolve）２００液体ゲルと両親媒性物質をインライン混合によりブレンドして濃縮香料組成物を形成した直後に濃縮香料組成物インラインを布地ケア組成物に注入することにより、実験を行った。プロセスは図２に示される。香料及び両親媒性物質が添加されて、製品組成物の１．７５重量％の濃度の香料及び０．２７重量％の濃度のアラソルブ（Arlasolve）２００液体ゲルを得る。
【表７】
2009538956.tif 000010
【００７２】
「発明を実施するための最良の形態」に引用される全ての文献は、関連部分において、参考として本明細書に組み込まれるが、いかなる文献の引用も、それが本発明に関する先行技術であることの容認として解釈すべきでない。
【００７３】
本発明の特定の実施形態を例示し記載してきたが、本発明の精神及び範囲から逸脱することなく他の様々な変更及び修正を実施できることが、当業者には明白であろう。したがって、本発明の範囲内にあるそのような全ての変更修正を、添付の特許請求の範囲で扱うものとする。
【図面の簡単な説明】
【００７４】
【図１】布地ケア組成物に濃縮香料組成物を添加するための手順の概略図。
【図２】提供される布地ケア組成物に濃縮香料組成物を添加する直前に、濃縮香料組成物インラインを形成するための方法。
【図１】
2009538956.tif 000011
【国際調査報告】
2009538956.tif 000012
2009538956.tif 000013